(57)【要約】【課題】  根太に床通気路用の貫通孔を穿設しなくても、床通気路が形成できる木造建築の床構造を提供する。【解決手段】  大引１８の上に外壁２０と平行に所定間隔で配設された根太１３と、前記根太１３の上面に張られた断熱ボード８を備えた床板１１により、床下に床下空気通路が設けられた木造建築の床構造において、  前記外壁２０と最短距離の根太１７が、前記外壁２０と所定間隔で隔てられて配設され、前記床下空気通路１２と前記外壁２０に形成された外壁空気通路４に連通する隙間１６が形成される構成とした。【選択図】  図１
2005048566.tif 000002
【特許請求の範囲】
【請求項１】
大引の上に外壁と平行に所定間隔で配設された根太と、前記根太の上面に張られた断熱ボードを備えた床板により、床下に床下空気通路が設けられた木造建築の床構造において、
前記外壁と最短距離の根太が、前記外壁と所定間隔で隔てられて配設され、前記床下空気通路と前記外壁に形成された外壁空気通路に連通する隙間が形成されていることを特徴とする木造建築の床構造。
【請求項２】
床および外壁に断熱ボードを備えた高気密性建物であって、前記床には、大引の上に外壁と平行に所定間隔で配設された根太と、前記根太の上面に張られた断熱ボードを備えた床板により、床下に床下空気通路が設けられ、前記外壁には外側壁材と内側壁材により二重構造に形成され縦方向に空気の流通する外壁空気通路が設けられ、前記外壁の外側壁材により前記床下空気通路の端部が塞がれている木造建築の床構造において、
前記外壁と最短距離の根太が、前記外壁と所定間隔で隔てられて配設され、前記床下空気通路と前記外壁に形成された外壁空気通路に連通する隙間が形成されていることを特徴とする木造建築の床構造。
【請求項３】
床および外壁に断熱ボードを備えた高気密性建物であって、前記床には、大引の上に外壁と平行に所定間隔で配設された根太と、前記根太の上面に張られた断熱ボードを備えた床板により、床下に床下空気通路が設けられ、前記外壁には外側壁材と内側壁材により二重構造に形成され縦方向に空気の流通する外壁空気通路が設けられ、前記外壁の外側壁材により前記床下空気通路が端部が塞がれている木造建築の床構造において、
前記外壁と最短距離の根太が、前記外壁と所定間隔で隔てられて配設され、前記床下空気通路と前記外壁に形成された外壁空気通路に連通する隙間が形成され、前記内側壁材の各部屋に接する面及び／または天井板面には換気孔が形成されていることを特徴とする木造建築の床構造。
【請求項４】
前記隙間寸法は４５〜６０ｍｍであることを特徴とする請求項１乃至は請求項３に記載の木造建築の床構造。
【発明の詳細な説明】
【発明の詳細な説明】
【産業上の利用分野】
【０００１】  本発明は、木造建築の床構造に係り、特に床構造を二重床にして換気に好適な木造建築の床構造に関する。
【背景技術】
【０００２】  近年、家庭用木造住宅においては、冷暖房における熱効率の向上や省エネ、或いは自然エネルギーを利用するために、外壁や床を二重構造にし、この二重構造の壁の間に空気を循環させる換気構造を備える建物が見られるようになってきた。（例えば、特許文献１参照）。この建物は、屋根、床、及び外壁の内側に所定の形態からなる断熱ボードを備えた高気密性建物において、各室の室内空間と、前記各室の二重床の床通通気路と、外壁通気路と、間仕切壁通気路と、屋根裏の屋根裏空間を空気が連通する構成とする建物であって、前記各室の一部に外気導入の吸気口を設けるとともに、前記各室の室内空間に導入した空気を、各室の仕上の床板の面に設けた複数箇所の開口部から前記床通気路を介し、前記外壁通気路及び間仕切壁通気路を通って前記屋根裏の屋根裏空間に集められた空気を、前記屋根裏に設置した強制排出装置を介して外部へ排出するようにしたものである。
【特許文献１】特開２００２−８８９３９号公報（第１頁、図１）
【発明の開示】
【発明が解決しようとする課題】
【０００３】  しかしながら、上述した特許文献１の換気構造を備える建物においては、図に示すように、床下の通気を確保するためには、床板用根太に複数の貫通孔を穿設し、床通気路を確保するものである。この床通気路は、根太の本数が多くなればなるほど、その手間がかかり大変な作業となるものである。さらに、貫通孔の数や大きさは、強度上の問題から限界があった。【０００４】  本発明は、上述した従来の問題に鑑みなされたもので、根太に床通気路用の貫通孔を穿設しなくても、床通気路が形成できる木造建築の床構造を提供するものである。
【課題を解決するための手段】
【０００５】  本発明は、上記課題を解決するため、大引の上に外壁と平行に所定間隔で配設された根太と、前記根太の上面に張られた断熱ボードを備えた床板により、床下に床下空気通路が設けられた木造建築の床構造において、
前記外壁と最短距離の根太が、前記外壁と所定間隔で隔てられて配設され、前記床下空気通路と前記外壁に形成された外壁空気通路に連通する隙間が形成されていることを特徴とするものである。【０００６】  また、本発明の木造建築の床構造は、床および外壁に断熱ボードを備えた高気密性建物であって、前記床には、大引の上に外壁と平行に所定間隔で配設された根太と、前記根太の上面に張られた断熱ボードを備えた床板により、床下に床下空気通路が設けられ、前記外壁には外側壁材と内側壁材により二重構造に形成され縦方向に空気の流通する外壁空気通路が設けられ、前記外壁の外側壁材により前記床下空気通路が端部が塞がれている木造建築の床構造において、前記外壁と最短距離の根太が、前記外壁と所定間隔で隔てられて配設され、前記床下空気通路と前記外壁に形成された外壁空気通路に連通する隙間が形成されていることを特徴としている。【０００７】  また、本発明の木造建築の床構造は、床および外壁に断熱ボードを備えた高気密性建物であって、前記床には、大引の上に外壁と平行に所定間隔で配設された根太と、前記根太の上面に張られた断熱ボードを備えた床板により、床下に床下空気通路が設けられ、前記外壁には外側壁材と内側壁材により二重構造に形成され縦方向に空気の流通する外壁空気通路が設けられ、前記外壁の外側壁材により前記床下空気通路の端部が塞がれている木造建築の床構造において、前記外壁と最短距離の根太が、前記外壁と所定間隔で隔てられて配設され、前記床下空気通路と前記外壁に形成された外壁空気通路に連通する隙間が形成され、前記内側壁材の各部屋に接する面には換気孔が形成されていることを特徴としている。【０００８】  さらに、本発明の木造建築の床構造における前記隙間寸法は、４５〜６０ｍｍであることを特徴とするものである。
【発明を実施するための最良の形態】
【０００９】  本発明に係る木造建築の床構造の実施の形態を図を参照して説明する。
図１は本発明の木造建築の床構造を示す一部破断の斜視図、図２は図１の木造建築の床構造の要部を示す断面図、図３は図１の木造建築の床構造を使用した建物の断面図、図４は図１の建物に使用する外壁パネルを示す斜視図である。【００１０】  図３は、本発明に係る木造建築の床構造を備えた建物を示すもので、この建物１は、軸組工法またはパネル工法によって建築された木造建物であり、部屋２の床１１、部屋２の外壁２０、屋根３の内側には断熱ボード８が施された高気密建物である。外壁２０は外壁材２２と内壁材２３により二重構造に形成されており、外壁空気通路４が形成されている。また、床下には、床下空気通路１２が形成されており、外壁空気通路４と床下空気通路１２は空気連通路１６で連通されている。そして、屋根３の上には、換気のための開口部５が設けられている。【００１１】  この建物１の各部屋２には、後述するように、外壁２０の内壁材２３に設けられた換気孔２９，３０があり、この部屋２の空気は外壁２０の外壁空気通路４と連通している。そのため、換気孔３０から流入した空気は、部屋２の内部を循環し、換気孔２９から排出され、外壁空気通路４を通して天井の内部空間６に集まり、屋根３に設置した開口部５から外部へ排出することで、建物全体の換気を行うものである。即ち、この建物全体で自然の空気の循環を行うものである。【００１２】  この建物１の外壁２０は、図４に示すように、パネル構造となっており、枠体２１により構成されている。この枠体２１の外側には外側壁材２２が貼られており、内側には内側壁材２３が貼られている。枠体２１は、構造部材として、周囲の縱枠２４、横枠２５、横方向の複数の中横枠２６と縦方向の中縦枠２７から構成されており、横枠２５と中横枠２６には縦方向に空気の流通ができるように切り欠き２８が形成されている。そして、前述したように、内側壁材２３の上部と下部にはそれぞれ貫通孔２９，３０が形成されており、この外壁２０に形成された外壁空気通路４と外部に空気の流通ができるようになっている。【００１３】  この建物１の床構造は、図１に示すように、大引１８の上に外壁２０と平行に所定間隔（３００〜６００ｍｍ）で根太１３が配設されており、この根太１３の上面には断熱ボード８を備えた床板１１が張られている。また、床下には空気が流通する床下空気通路１２が設けられた木造建築の床構造になっている。【００１４】  また、この床構造は、図２に示すように、通常は内側壁材２３に密着固定される根太１３の端部の端根太１７と内壁面の間に隙間１６が形成されており、根太１３で区画された隣接の床下空気通路１２の空気が外壁空気通路４と自由に通過できるように構成されている。この隙間１６の寸法は、４５〜６０ｍｍである。この隙間１６の間隔寸法は、大きい方が空気の流通からは効果的であるが、大きすぎると床の強度に悪影響をあたえるので、この程度が適切である。【００１５】  このように構成された木造建築の床構造は、根太１３の端部に設けられた隙間により空気の流通がスムーズに行われるので、床下の換気が効率良く行われ、二重に形成された外壁２０の換気とともに建物全体の空気の循環が好適となり、結露などによる土台の腐食を防止し、室内におけるカビやダニの発生も防止できるものである。さらに、屋根３に設置した開口部５から空気を外部へ排出することができるので、長期間締め切りの建物でも、常時建物の空気を循環することが可能となる。
【発明の効果】
【００１６】  以上説明したように、本発明に係る木造建築の床構造は、大引の上に外壁と平行に所定間隔で配設された根太と、前記根太の上面に張られた断熱ボードを備えた床板により、床下に床下空気通路が設けられた木造建築の床構造において、前記外壁と最短距離の根太が、前記外壁と所定間隔で隔てられて配設され、前記床下空気通路と前記外壁に形成された外壁空気通路に連通する隙間が形成されていることにより、上根太の端部に設けられた隙間により空気の流通がスムーズに行われるので、床下の換気が効率良く行われ、二重に構成された壁の換気とともに建物全体の空気の循環が好適となり、結露などによる土台の腐食を防止し、室内におけるカビやダニの発生も防止できるものである。さらに、長期間締め切りの建物でも、常時建物の空気を循環することができるという効果を奏するものである。
【図面の簡単な説明】
【００１７】
【図１】本発明の木造建築の床構造を示す一部破断の斜視図である
【図２】図１の木造建築の床構造の要部を示す断面図である。
【図３】図１の木造建築の床構造を使用した建物の断面図である。
【図４】図の建物の外壁パネルを示す斜視図である。
【符号の説明】
【００１８】  １      建物
２      部屋
３      屋根
４      外壁空気通路
５      開口部
６      内部空間
８      断熱ボード
１０      二重床
１１      上側床板
１２      床下空気通路
１３      根太
１６      隙間
１７      端根太
１８      大引
２０      外壁
２１      枠体
２２      外側壁材
２３      内側壁材
２４      縦枠
２５      横枠
２６      中横枠
２７      中縦枠
２８      切り欠き
２９      換気孔
３０      換気孔
【図１】
2005048566.tif 000003
【図２】
2005048566.tif 000004
【図３】
2005048566.tif 000005
【図４】
2005048566.tif 000006